(57)【特許請求の範囲】
【請求項１】
垂直軸杆部の下端に高架橋の張出部下面に沿う方向に突出したつらら状物除去杆部を一体に設けてなる除去具と、一対の垂直支持杆部の下端に高架橋の張出部下面に沿う方向に突出したシート取付杆部を一体に設け且つこれらのシート取付杆部間にシートを折り畳み可能に張設してなるつらら状物受け具とから構成していることを特徴とする高架橋下のつらら状物除去用具。
【請求項２】
受け具の一対の垂直支持杆部の長さを除去具の垂直軸杆部よりも長くしていると共に受け具の垂直支持杆部の上端と除去具の垂直軸杆部の上端とに高架橋の高欄上端面に係止可能な操作杆部をそれぞれ一体に設けていることを特徴とする請求項１に記載の高架橋下のつらら状物除去用具。
【請求項３】
請求項１に記載の除去用具による高架橋下のつらら状物除去方法であって、受け具の一対の垂直支持杆部を引き揃えることによってこれらの垂直支持杆部の下端に一体に設けているシート取付杆部間に張設したシートを折り畳み、この状態にして受け具を高架橋の高欄間の隙間から下方に挿入したのち、一対の垂直支持杆部を互いに上記隙間の長さ方向に離間させることによりシートを高架橋の張出部下方に張設し、次いで、除去具の垂直軸杆部を高架橋の高欄間の隙間から下方に挿入して該垂直軸杆部を操作することにより、その下端に一体に設けているつらら状物除去杆部で上記シート上方部の高架橋の張出部下面に垂下しているつらら状物を切除してシート上に落下させ、しかるのち、除去具のつらら状物除去杆部を高欄間の隙間から上方に引き上げると共に受け具の一対の垂直支持杆部を引き揃えてつらら状物を収容しているシートを折り畳み、この状態にして受け具を高欄間の隙間から上方に引き上げることを特徴とする高架橋下のつらら状物除去方法。
【請求項４】
つらら状物受け具における一対の垂直支持杆部の上端に設けている操作杆部を高架橋の高欄の上端面に支持させてシートを高架橋の張出部下面から下方に所定間隔を存した位置に張設しておくことを特徴とする請求項３に記載の高架橋下のつらら状物除去方法。
【発明の詳細な説明】
【０００１】
【発明の属する技術分野】
本発明は、高架橋の張出部下面に発生している遊離石灰の垂下物（以下、つらら状物にいう）を除去するための除去用具と、この除去用具を用いた除去方法に関するものである。
【０００２】
【従来の技術】
コンクリート構造物からなる高架橋は、雨天時に浸透する雨水の影響によりそのコンクリート成分等が下面に溶出して長期の間につらら状に成長し、高架橋の下面から多数のつらら状物として垂下して外観を著しく損なうばかりでなく、不測に落下した場合には危険を伴うことになる。高架橋は雨水を上下線中央分離帯側に集中的に流動させて排水を行うように形成されており、従って、下面が中央分離帯側に向かって緩やかに傾斜している中央分離帯側の張出部に上記つらら状物物が集中的に発生することになる。
【０００３】
このようなつらら状物は定期的に除去する必要があるが、高架橋は高い場所にあるため、その位置まで作業足場を組立てるには多大な時間と労力を必要とするばかりでなく、除去作業に危険を伴う虞れがあり、また、除去作業後においても足場の解体撤去を必要とする。
【０００４】
【発明が解決しようとする課題】
このため、上下線中央分離帯に設けている高欄間の隙間を利用して適宜な掻き落とし具を該隙間に挿入し、中央分離帯側張出部の下面に発生しているつらら状物を掻き落とすことも考えられるが、この場合にはつらら状物が地上にランダムに落下すると共に作業中に掻き落とし具も不測に落下する場合が生じて極めて危険であるという問題点が生じる。
【０００５】
本発明は上記のような問題点に鑑みてなされたもので、その目的とするところは、上下線中央分離帯に設けている高欄間の隙間を利用して中央分離帯側から張出部の下面に発生しているつらら状物を地上に落下させることなく安全且つ確実に除去することができる除去用具と、この除去用具を用いた除去方法を提供するにある。
【０００６】
【課題を解決するための手段】
上記目的を達成するために、本発明の高架橋下のつらら状物除去用具は、請求項１に記載したように、垂直軸杆部の下端に高架橋の張出部下面に沿う方向に突出したつらら状物除去杆部を一体に設けてなる除去具と、一対の垂直支持杆部の下端に高架橋の張出部下面に沿う方向に突出したシート取付杆部を一体に設け且つこれらのシート取付杆部間にシートを折り畳み可能に張設してなるつらら状物受け具とから構成している。
【０００７】
さらに、上記つらら状物除去用具において、請求項２に係る発明は、受け具の一対の垂直支持杆部の長さを除去具の垂直軸杆部よりも長くしていると共に受け具の垂直支持杆部の上端と除去具の垂直軸杆部の上端とに高架橋の高欄上端面に支持させる操作杆部をそれぞれ一体に設けていることを特徴としている。
【０００８】
請求項３に係る発明は、請求項１に記載の除去用具による高架橋下のつらら状物除去方法であって、受け具の一対の垂直支持杆部を引き揃えることによってこれらの垂直支持杆部の下端に一体に設けているシート取付杆部間に張設したシートを折り畳み、この状態にして受け具を高架橋の高欄間の隙間から下方に挿入したのち、一対の垂直支持杆部を互いに上記隙間の長さ方向に離間させることによりシートを高架橋の張出部下方に張設し、次いで、除去具の垂直軸杆部を高架橋の高欄間の隙間から下方に挿入して該垂直軸杆部を操作することにより、その下端に一体に設けているつらら状物除去杆部で上記シート上方部の高架橋の張出部下面に垂下しているつらら状物を切除してシート上に落下させ、しかるのち、除去具のつらら状物除去杆部を高欄間の隙間から上方に引き上げると共に受け具の一対の垂直支持杆部を引き揃えてつらら状物を収容しているシートを折り畳み、この状態にして受け具を高欄間の隙間から上方に引き上げることを特徴とする。
【０００９】
上記高架橋下のつらら状物除去方法において、請求項４に係る発明は、つらら状物受け具における一対の垂直支持杆部の上端に設けている操作杆部を高架橋の高欄の上端面に支持させてシートを高架橋の張出部下面から下方に所定間隔を存した位置に張設しておくことを特徴としている。
【００１０】
【作用】
まず、受け具における一対の垂直支持杆部を引き揃えてこれらの垂直支持杆部の下端に一体に設けているシート取付杆部も互いに引き揃え状態にすることによってシート取付杆部間に取付けているシートを下方に向かって二つ折り状態に折り畳む。この状態にしてこの受け具を折り畳んだシート側から高架橋における上下線中央分離帯側の高欄間に設けている隙間に挿入する。その際、互いに引き揃えたシート取付杆部の長さ方向を高欄間の隙間の長さ方向に向けることにより、これらのネット取付杆部をシートと共に容易に高欄間の隙間を通じて高架橋の下面から下方に突出させることができる。
【００１１】
シート取付杆部が高架橋の下面から下方に突出すると、中央分離帯上において一対の垂直支持杆部をその軸芯回りに９０度、回動させることによって、シート取付杆部を高欄間の隙間の長さ方向に対して直角方向に向け、遊離石灰のつらら状物が発生している中央分離帯側の張出部の下面に対向させる。この状態にして高欄間の隙間に上下方向に挿通している一対の垂直支持杆部を高欄間の隙間の長さ方向に互いに離間させると、シート取付杆部も一体に離間して上記張出部の下方にシートが張設される。そして、一対の垂直支持杆部の上端操作杆部を高欄の上端面に受止させておくことによってシートを張出部の下方における一定の高さ位置に張設した状態に維持する。
【００１２】
次いで、高欄間の隙間を通じて除去具における垂直軸杆部の下端に設けているつらら状物除去杆部を挿通したのち、垂直軸杆部をその軸芯回りに９０度、回動させることによって該除去杆部を高欄間の隙間の長さ方向に対して直角方向に向け、つらら状物が発生している中央分離帯側の張出部下面に対向させる。この際、つらら状物除去具の垂直軸杆部を上記受け具の互いに離間している一対の垂直支持杆部間で囲まれた高欄間の隙間部に挿通することにより、このつらら状物除去具の除去杆部を受け具の上記張設しているシートの上方において、張出部の下面に常に対向させた状態にしておくことができる。
【００１３】
この状態にしてつらら状物除去具の垂直軸杆部を受け具の一対の垂直支持杆部間において高欄間の隙間部の長さ方向に移動させたり、或いは、該垂直軸杆部を回動させると、該垂直軸杆部の下端から上記中央分離帯側の張出部下方に突出しているつらら状物除去杆部が張出部の下面に沿って移動し、或いは、垂直軸杆部の下端を中心として回動して張出部の下面に発生しているつらら状物を掻き落とすように切除し、下方に張設しているシート上に落下させる。
【００１４】
このつらら状物除去作業時において、除去具の垂直軸杆部の上端に、高架橋の高欄上端面に係止可能な操作杆部を設けているので、除去具が高欄間の隙間から下方に落下する虞れはなく安全に作業が行えると共に、垂直軸杆部を中心とする該操作杆部の回動角度とつらら状物除去杆部の回動角度とが同一であるから、高架橋上方からは目視し得ない張出部下方の該除去杆部の作動状態を正確に把握するとができ、さらに、張出部の下方に張設している上記受け具のシートの上方における移動状態や位置、及び、高欄間の隙間に挿入している垂直軸杆部の挿入長さの調整によるつらら状物除去杆部の位置も高架橋上から正確に設定することができて張出部の下面に発生しているつらら状物を確実に切除し、シート上に落下させることができるものである。
【００１５】
こうして、つらら状物除去具によってシートの上方の中央分離帯側張出部下面に発生しているつらら状物を除去すると、シートを張設した状態で受け具の一対の垂直支持杆部を高欄間の隙間に沿って次の除去位置まで移動させると共に除去具も一体的に移動させ、再び、つらら状物を除去した張出部に隣接する張出部下面のつらら状物の除去作業を行う。なお、一度の除去作業によってシート上に多量のつらら状物が堆積状態に収容された場合には、受け具を移動させることなく高欄間の隙間を通じて高架橋上に引き上げる。
【００１６】
掻き落とされたつらら状物を収納しているシートを上方に引き上げるには、除去具を高欄間の隙間を通じて引き上げたのち受け具を引き上げる。この作業は、まず、一対の垂直支持杆部を高欄間の隙間に沿って互いに近づけて引き揃え状態にする。そうすると、これらの垂直支持杆部の下端に突設しているシート取付杆部も互いに接近しながら引き揃えられると共にその接近に伴ってシートがつらら状物の重量によりつらら状物を中央部に集積させながら下方に二つ折り状態に折り畳まれる。
【００１７】
こうして、つらら状物を収容した二つ折り状態のシートの厚みを高欄間の隙間を通過可能な状態にし、一対の垂直支持杆部を回動操作して該二つ折り状態のシートを高欄間の隙間の下方に対向させ、垂直支持杆部を引き上げることによってつらら状物を収容したシートを高欄間の隙間を通じて高架橋上に引き出し、シートに収容しているつらら状物を排除して、再び、上記同様にして中央分離帯側張出部下面に発生しているつらら状物の除去に使用するものである。
【００１８】
【発明の実施の形態】
次に、本発明の具体的な実施の形態を図面について説明すると、高架橋における上下線中央分離帯側の張出部Ａの下面に発生している遊離石灰のつらら状物Ｂを除去する除去用具は、図１に示すように、つらら状物Ｂを切断又は折損させるための除去具１と、除去されて落下するつらら状物Ｂを受止するための受止具１１とから構成している。
【００１９】
除去具１は図１、図２に示すように、所定長さを有する垂直軸杆部２の下端に、上記張出部Ａの下面に沿うように水平方向に向かって突出したつらら状物除去杆部３の基端を溶接等により一体に固着して側面Ｌ字状に形成していると共に上記垂直軸杆部２の上端に平面十字形状の操作杆部４を一体に固着してなるものである。
【００２０】
この除去具１を構成している上記垂直軸杆部２やつらら状物除去杆部３、および操作杆部４は金属棒又は金属管からなり、垂直軸杆部２の長さは、中央分離帯で区画された上下線の対向端縁から上方に向かって突設している高欄Ｃ、Ｃの上端面と上記張出部Ａの下面との間の寸法よりも長く形成されていて該垂直軸杆部２を高欄Ｃ、Ｃ間の隙間Ｄに挿通した時に、その下端除去杆部３が張出部Ａの下面に小間隔を存して対向するように構成している。一方、除去杆部３の突出長さは、つらら状物Ｂが集中的に発生する上記張出部Ａの幅寸法に略等しい長さに形成している。
【００２１】
また、操作杆部４は、高欄Ｃ、Ｃ間の隙間Ｄの幅の２倍程度の長さを有する棒状体４Ａ、４Ｂの長さ方向の中央部を交差させ、且つ一方の棒状体４Ａをつらら状物除去杆部３の長さ方向に平行に向けた状態にしてその交差部を垂直軸杆部２の上端に溶接等により一体に固着してなるもので、垂直軸杆部２を高欄Ｃ、Ｃの隙間Ｄに挿入した時に高欄Ｃ、Ｃの上端面に係止状態に当接、受止されて除去具１が下方に落下するのを阻止すると共にこの操作杆部４を操作することによって除去杆部３でつらら状物Ｂを切除するものである。
【００２２】
一方、上記つらら状物受け具１１は図１、図３に示すように、上記除去具１の垂直軸杆部２よりも長い長さを有する一対の垂直支持杆部１２、１２の下端に、水平方向に向かって突出した一定長さを有するシート取付杆部１３、１３の基端をそれぞれ溶接等によって一体に固着して側面Ｌ字状に形成していると共に上記一対の垂直支持杆部１２、１２の上端に上記除去具１の操作杆部４と同一大きさ、同一形状の操作杆部１４をそれぞれ溶接等によって一体に固着し、さらに、シート取付杆部１３、１３に所定長さと幅を有する合成樹脂製シート１５を張設してなるものである。なおこのシート１５は帆布等の布地であってもよい。
【００２３】
このつらら状物受け具１１を構成している上記垂直支持杆部１２、１２やシート取付杆部１３、１３、及び操作杆部１４は上記除去具１と同じく、金属棒又は金属管から形成してあり、シート取付杆部１３、１３は緩やかに下向き円弧状に湾曲していると共にその基端部と先端部とにシート取付環１６を固着している。
【００２４】
さらに、上記シート１５は、その幅をシート取付杆部１３の長さと同等ないしは僅かに短い幅に形成され且つ長さはその幅よりも大きい矩形状シートであって、その両側縁部を筒状部１５ａ  、１５ａ  に形成してこれらの筒状部１５ａ  、１５ａ  に両側のシート取付杆部１３、１３をそれぞれ挿通させることによってシート取付杆部１３、１３間に張設されている。また、このシート１５の四隅部に連結用紐１７を結着してあり、これらの連結用紐１７をそれぞれ対応する上記シート取付環１６に連結することによってシート取付杆部１３、１３の四隅部をシート取付杆部１３、１３に固定している。
【００２５】
従って、このつらら状物受け具１１における上記一対の垂直支持杆部１２、１２を、図４に示すように互いに左右に引き揃えると、これらの垂直支持杆部１２、１２の下端から突設している上記シート取付杆部１３、１３も一体に引き揃えられてシート１５はその長さ方向の中央部から下方に向かって二つ折り状態に折り畳まれる。なお、垂直支持杆部１２、１２の上端に固着している操作杆部１４、１４は、上記除去具１の操作杆部４と同じく、高欄Ｃ、Ｃ間の隙間Ｄの幅の２倍程度の長さを有する棒状体１４Ａ  、１４Ｂ  の長さ方向の中央部を交差させ、その交差部を垂直支持杆部１２の上端に溶接等により一体に固着してなるもので、垂直支持杆部１２、１２を高欄Ｃ、Ｃの隙間Ｄに挿入した時に高欄Ｃ、Ｃの上端面に係止状態に当接、受止されて受け具１１が下方に落下するのを阻止すると共にシート１５を上下線中央分離帯側の上記張出部Ａの下面から下方に一定間隔を存した空間に吊支状態に保持するように構成している。
【００２６】
次に、このように構成したつらら状物除去具１と受け具１１とを用いて、高架橋における上下線中央分離帯側の張出部Ａの下面に発生している遊離石灰からなるつらら状物Ｂを除去する方法について説明すると、まず、受け具１１のシート１５を張出部Ａの所定部分における下方空間部に張設する。この張設作業は、下端にシート取付杆部１３を一体に設けている垂直支持杆部１２、１２を左右に引き揃え状態に束ねることにより、シート取付杆部１３、１３間に両側端部を取付けているシート１５を該取付杆部１３、１３を支点として下方に二つ折り状に折り曲げて高欄Ｃ、Ｃ間の隙間Ｄに挿通可能な形態にする。なお、高欄Ｃ、Ｃの隙間Ｄは、落下防止板（図示せず）によって閉止されているので、つらら状物除去作業を始める前に該落下防止板を取り外し、作業が終了すると取付けておくものである。
【００２７】
この状態にして図４に示すように、二つ折りしたシート１５の幅方向、即ち、シート取付杆部１３、１３の長さ方向を高欄Ｃ、Ｃ間の隙間Ｄの長さ方向に向け、垂直支持杆部１２、１２を隙間Ｄに向かって下ろすことによりシート１５を該隙間Ｄに挿通する。垂直支持杆部１２、１２の下部が隙間Ｄを挿通して張出部Ａの下面から下方に突出し、上端に固着している操作杆部１４、１４が高欄Ｃ、Ｃの上端面に当接、受止された状態になると、シート１５が張出部Ａの下面から下方に所定間隔を存した空間部に吊り下がった状態になる。
【００２８】
次いで、垂直支持杆部１２、１２を束ねた状態でその軸回りに９０度回動させると、シート取付杆部１３、１３が隙間Ｄの長さ方向に対して直角方向に向きを変え、二つ折り状態のシート１５が一方の高欄Ｃ側の張出部Ａの下方に配設された状態となる。しかるのち、垂直支持杆部１２、１２を隙間Ｄの長さ方向（橋軸方向）に離間させると、シート取付杆部１３、１３も共に離間してシート１５が水平状に張設される。そして、垂直支持杆部１２、１２の上端操作杆部１４、１４を高欄Ｃ、Ｃの上橋面に架設状態に受止させておくことによって図１に示すように、シート１５を張出部Ａから下方の所定位置に吊り下げた状態に維持しておく。
【００２９】
こうして、張出部Ａにおける所定部位の下方にシート１５を張設させたのち、つらら状物除去具１を上記垂直支持杆部１２、１２間における高欄Ｃ、Ｃ間の隙間Ｄに挿通する。この作業は、上記受け具１１と同様に、まず、垂直軸杆部２の下端に一体に設けているつらら状物除去杆部３の長さ方向を隙間Ｄの長さ方向に向けたのち、該除去杆部３から隙間Ｄに挿入して垂直軸杆部２を下ろしていくことにより除去杆部３を張出部Ａの下面から下方に突出させ、しかるのち、垂直軸杆部２をその軸芯回りに９０度、回動させることによって張出部Ａの幅方向に向きを変え、上端操作杆部４を高欄Ｃ、Ｃの上端面に架設状態に受止させることによって除去杆部３をシート１５の上方において張出部Ａの下面に近接状態で対向させる。
【００３０】
この状態にして除去具１の垂直軸杆部２を図５に示すように、その操作杆部４を把持して僅かに持ち上げることにより除去杆部３を張出部Ａの下面にさらに接近させると共に垂直軸杆部２をその軸芯回りに左右に往復回動させて該垂直軸杆部２を中心として除去杆部３を水平方向に往復回動させることにより、張出部Ａから垂下しているつらら状物Ｂを除去杆部３で掻き落とすように切除する。なお、除去杆部３によるつらら状物Ｂの切除とは、除去杆部３によって切り落とすのではなく、つらら状物Ｂの基部側面を衝撃的に叩打することによって張出部Ａの下面から切断、分離させる状態をいうものである。
【００３１】
このつらら状物Ｂの切除作業は、除去杆部３を張出部Ａの下面に摺接させながら水平方向に往復回動させると共に垂直軸杆部２を受け具１１の上記垂直支持杆部１２、１２間における高欄Ｃ、Ｃ間の隙間Ｄ内でこの隙間Ｄの長さ方向に移動させることによって行われる。この際、高欄Ｃ、Ｃの上端部上に突出している平面十字形状の操作杆部４は、その一方の棒状体４Ａをつらら状物除去杆部３の長さ方向に向けているので、除去杆部３の回動角度と向きは、この棒状体４Ａの回動角度と向きに一致し、従って、高架橋下の目視できないこの除去杆部３によるつらら状物Ｂの切除動作の状態を操作杆部４の動きによって正確に把握することができるものである。
【００３２】
また、除去杆部３の移動は、受け具１１の垂直支持杆部１２、１２間、即ち、シート１５上において行うので、切除したつらら状物Ｂをシート１５上に確実に落下、受止させることができると共に受け具１１のシート取付杆部１３、１３は下方に向かって緩やかな円弧状に湾曲しているので、シート１５もその両端から幅方向の中央部に向かって下方に緩やかに湾曲してあり、従って、シート１５上に落下するつらら状物Ｂをシート１５の両端縁から下方に落下させることなくその中央部寄りに集積させることができる。
【００３３】
こうして、除去具１の除去杆部３によってシート１５の上方に対向する張出部Ａの下面部分に発生しているつらら状物を切除してシート１５上に落下、収容し、その量が少ない場合にはシート１５を張設した状態で受け具１１の上記一対の垂直支持杆部１２、１２を高欄Ｃ、Ｃ間の隙間Ｄの長さ方向に沿って上記つらら状物Ｂを除去した位置に隣接する次の位置まで除去具１と共に移動させ、再び、上記同様にして除去具１の除去杆部３によってその部分に発生しているつらら状物Ｂを切除する。
【００３４】
なお、つらら状物Ｂの除去作業時には、高架橋下の立入禁止及び警戒を行うために地上に見張員を配置するものであり、また、地上と高架橋上とをトランシーバや携帯電話を用いて連絡しあい、シート１５が充分に広がっているかどうかの確認や、除去具１の除去杆部３による張出部下面のつらら状物の除去状態等の確認を行うものである。
【００３５】
シート１５上につらら状物Ｂが所望量、堆積状態で収容されると、シート１５を高架橋上に引き上げる。このシート１５の引き上げは、まず、除去具１を、その除去杆部３が高欄Ｃ、Ｃ間の隙間Ｄの長さ方向に向けて垂直軸杆部２を隙間Ｄから引き上げることにより撤去し、しかるのち、受け具１１を高架橋上に引き上げる。
【００３６】
この受け具１１の引き上げ作業は、高欄Ｃ、Ｃの隙間Ｄの長さ方向に離間している一対の垂直支持杆部１２、１２を、その上端の操作杆部１４、１４を高欄Ｃ、Ｃの上端面にそって摺動させながら互いに引き寄せる。そうすると、シート取付杆部１３、１３も互いに接近する方向に一体に移動し、これらのシート取付杆部１３、１３間に張設しているシート１５が収容しているつらら状物を中央部に集積させながら下方に向かって二つ折り状態に折り畳まれる。
【００３７】
次いで、互いに束ね状態に引き揃えた垂直支持杆部１２、１２を一体にその杆軸回りに回動させて二つ折り状態のシート１５の幅方向、即ち、シート取付杆部１３、１３の長さ方向を高欄Ｃ、Ｃ間の隙間Ｄの方向に向け、この状態にして垂直支持杆部１２、１２を引き上げると、つらら状物Ｂを収容している二つ折り状態のシート１５が高欄Ｃ、Ｃ間の隙間Ｄを通じて高架橋上に引き出される。そして、シート１５に収容されているつらら状物Ｂを搬送車等に投入したのち、再び、中央分離帯側張出部下面に発生しているつらら状物の除去に使用するものである。また、他方の高欄Ｃ側の張出部Ａの下方に発生しているつらら状物も上記同様にして除去具１と受け具１１とを使用して除去するものである。なお、除去具１の垂直軸杆部２の上端と受け具１１の垂直支持杆部１２、１２の上端にそれぞれ一体に設けている操作杆部４、１４としては、必ずしも平面十字状に形成する必要はなく、リング状等、高欄Ｃ、Ｃの上端面に係止状態で受止させておくことができる形状であればよい。
【００３８】
【発明の効果】
以上のように本発明によれば、垂直軸杆部の下端に高架橋の張出部下面に沿う方向に突出したつらら状物除去杆部を一体に設けてなる除去具と、一対の垂直支持杆部の下端に高架橋の張出部下面に沿う方向に突出したシート取付杆部を一体に設け且つこれらのシート取付杆部間にシートを折り畳み可能に張設してなるつらら状物受け具とを用いて高架橋の張出部の下面に発生しているつらら状物を除去するものであるから、上下線中央分離帯に設けている高欄間の隙間を利用して高架橋上で中央分離帯側から張出部の下面に発生しているつらら状物の除去作業が簡単且つ能率よく行うことができる。
【００３９】
この際、上記受け具における一対の垂直支持杆部を引き揃えることにより、これらの垂直支持杆部の下端のシート取付杆部間に張設しているシートを折り畳んで高欄間の隙間を通じて張出部の下方の所定位置に確実に配設することができると共に、一対の垂直支持杆部をその杆軸回りに回動させると共に互いに離間させるだけで、つらら状物が発生している張出部における所定部分の下方にシートを正確に対向させた状態で張設することができる。
【００４０】
さらに、上記一対の垂直支持杆部の上端に一体に設けている操作杆部を高欄の上端面に受止させておくことによって受け具全体の落下防止を行うことができるばかりでなく、シートを張出部の下方における一定の高さ位置に張設した状態に維持しておくことができると共にシール上に落下するつらら状物の荷重を確実に支持することができる。
【００４１】
また、つらら状物除去具も垂直軸杆部の下端につらら状物除去杆部を一体に設けてなるものであるから、該除去杆部を高欄間の隙間を通じて張出部の下面と上記シートと上面間の空間部に簡単に挿通、配設することができ、高欄上で垂直軸杆部をその軸杆回りに回動操作したり、上記受け具の互いに離間している垂直支持杆部間で隙間の長さ方向に移動操作することによって、張出部の下面に発生しているつらら状物をつらら状物除去杆部により確実に切除することができる。
【００４２】
このつらら状物除去作業時において、除去具の垂直軸杆部の上端に、高架橋の高欄上端面に係止可能な操作杆部を設けているので、除去具が高欄間の隙間から下方に落下する虞れはなく安全に除去作業を行うことができると共に、垂直軸杆部を中心とする該操作杆部の回動角度とつらら状物除去杆部の回動角度とが同一であるから、高架橋上方からは目視し得ない張出部下方の該除去杆部の作動状態を正確に把握するとができ、その上、張出部の下方に張設している上記受け具のシートの上方における移動状態や位置、及び、高欄間の隙間に挿入している垂直軸杆部の挿入長さの調整によるつらら状物除去杆部の位置も高架橋上から正確に設定することができて張出部の下面に発生しているつらら状物を確実に切除し、シート上に落下させることができる。
【００４３】
また、シートを張設した状態で一対の垂直支持杆部の上端操作杆部を高欄の上端面に沿って隙間の長さ方向に移動させることによって、中央分離帯側張出部下面に発生しているつらら状物を連続的に除去していくことができる。さらに、シート上に所定量のつらら状物が収容されると、一対の垂直支持杆部を高欄間の隙間に沿って互いに近づけて引き揃え状態にすることにより、つらら状物を中央部に集積させながらシートを簡単に二つ折り状態に折り畳むことができ、この状態にして垂直支持杆部を引き上げることによってつらら状物を収容したシートを高欄間の隙間を通じて高架橋上に容易に引き出すことができ、従って、つらら状物の除去作業が能率よく行えるものである。
【図面の簡単な説明】
【図１】つらら状物除去用具を配設した状態の斜視図、
【図２】つらら状物除去具の斜視図、
【図３】つらら状物受け具の斜視図、
【図４】受け具を高欄間の隙間に対して挿入、離脱させる状態を示す斜視図、
【図５】つらら状物除去作業を行っている状態の簡略斜視図。
【符号の説明】
Ａ  上下線中央分離帯側の張出部
Ｂ  つらら状物
Ｃ  高欄
Ｄ  隙間
１  除去具
２  垂直軸杆部
３  つらら状物除去杆部
４  操作杆部
１１  つらら状物受け具
１２  垂直支持杆部
１３  シート取付杆部
１４  操作杆部
１５  シート
【図１】
0003631963.tif 000002
【図２】
0003631963.tif 000003
【図３】
0003631963.tif 000004
【図４】
0003631963.tif 000005
【図５】
0003631963.tif 000006